(57)【要約】      （修正有）【課題】設置した後であってもパネルを容易に動かして、二重窓の室内側の窓として使用することが可能なパネル型家具を提供する。【解決手段】パネル型家具１は、ポリカーボネート板の一面に遮光性又は透光性のシートを貼付した矩形形状の装飾パネル１０と、装飾パネル１０の上辺を係止する上方レール２０と、装飾パネル１０の下辺を係止する下方レール３０とを備え、装飾パネル１０は、上方レール２０及び下方レール３０に沿って移動可能である。【選択図】図２
0003218891.tif 000002
【実用新案登録請求の範囲】
【請求項１】
合成樹脂板の一面に遮光性又は透光性のシートを貼付した矩形形状の装飾パネルと、
前記装飾パネルの上辺を係止する上方レールと、
前記装飾パネルの下辺を係止する下方レールとを備え、
前記装飾パネルは、前記上方レール及び前記下方レールに沿って移動可能であることを特徴とする、パネル型家具。
【請求項２】
前記シートは遮光性であり、
前記装飾パネルは、他面に遮光性のシートを貼付したものであることを特徴とする、請求項１に記載のパネル型家具。
【請求項３】
前記上方レールは平行な第１上方レールと第２上方レールとを有し、
前記下方レールは平行な第１下方レールと第２下方レールとを有し、
前記第１上方レールは前記第１下方レールの真上に配され、
前記第２上方レールは前記第２下方レールの真上に配され、
前記装飾パネルは、上辺において左右に離間した第１上方係止部と第２上方係止部とを備え、
前記第１上方係止部は前記第１上方レールに係止され、
前記第２上方係止部は前記第２上方レールに係止され、
前記装飾パネルは、下辺において左右に離間した第１下方係止部と第２下方係止部とを備え、
前記第１下方係止部は前記第１下方レールに係止され、
前記第２下方係止部は前記第２下方レールに係止されることを特徴とする、請求項１又は２に記載のパネル型家具。
【請求項４】
前記装飾パネルが、窓面と平行に、窓面に近接して配されることを特徴とする、請求項１〜３のいずれか１項に記載のパネル型家具。
【請求項５】
合成樹脂板の一面に遮光性又は透光性のシートを貼付した矩形形状の装飾パネルと、
前記装飾パネルの上辺を懸架する上方レールを備え、
前記装飾パネルは、前記上方レールに沿って移動可能であることを特徴とする、パネル型家具。
【請求項６】
前記シートは遮光性であり、
前記装飾パネルは、他面に遮光性のシートを貼付したものであることを特徴とする、請求項５に記載のパネル型家具。
【請求項７】
前記上方レールは平行な第１上方レールと第２上方レールとを有し、
前記装飾パネルは、上辺において左右に離間した第１上方係止部と第２上方係止部とを備え、
前記第１上方係止部は前記第１上方レールに係止され、
前記第２上方係止部は前記第２上方レールに係止されることを特徴とする、請求項５又は６に記載のパネル型家具。
【請求項８】
前記装飾パネルが、窓面と平行に、窓面に近接して配されることを特徴とする、請求項５〜７のいずれか１項に記載のパネル型家具。
【請求項９】
前記合成樹脂板はポリカーボネート板であることを特徴とする請求項１〜８のいずれか１項に記載のパネル型家具。
【考案の詳細な説明】
【技術分野】
【０００１】
本考案は、パネル型家具に関する。
【背景技術】
【０００２】
従来、断熱効果が高く、窓面の結露を防ぐためのものとして、二重窓が知られている。しかし、二重窓は設置するのにかなりの費用がかかるため、あまり普及していない。
【０００３】
窓の付近に設置して二重窓の室内側の窓の役割を果たすことが可能なものとして、例えば、特許文献１、２に記載のパネルが知られている。
【先行技術文献】
【特許文献】
【０００４】
【特許文献１】実用新案登録３１９２３７９号公報
【特許文献２】特開２０１８−１２２５３０号公報
【考案の概要】
【考案が解決しようとする課題】
【０００５】
しかしながら、特許文献１、２に記載のパネルは一旦設置すると簡単に動かすことができず、採光や空気の入れ替えが困難であり、二重窓の室内側の窓として使用するには不便があった。
【０００６】
本考案は、設置した後であってもパネルを容易に動かして、二重窓の室内側の窓として使用することが可能なパネル型家具を提供することを課題とする。
また、本考案は、カーテンのように遮光材としても使用することが可能なパネル型家具を提供することを課題とする。
【課題を解決するための手段】
【０００７】
本考案のパネル型家具は、
合成樹脂板の一面に遮光性又は透光性のシートを貼付した矩形形状の装飾パネルと、
前記装飾パネルの上辺を係止する上方レールと、
前記装飾パネルの下辺を係止する下方レールとを備え、
前記装飾パネルは、前記上方レール及び前記下方レールに沿って移動可能であることを特徴とする。
【０００８】
この特徴によれば、装飾パネルの上辺は上方レールで係止され、装飾パネルの下辺は下方レールで係止され、装飾パネルは上方レール及び下方レールに沿って移動可能であるため、パネル型家具を設置した後であっても装飾パネルを上方レール及び下方レールに沿って容易に動かすことができ、二重窓の室内側の窓として使用することができる。
【０００９】
本考案のパネル型家具は、
前記シートは遮光性であり、
前記装飾パネルは、他面に遮光性のシートを貼付したものであることを特徴とする。
【００１０】
この特徴によれば、パネル型家具をカーテンのように遮光材として利用することができ、また、各シートの表面に模様を施して装飾性を高めることができる。
【００１１】
本考案のパネル型家具は、
前記上方レールは平行な第１上方レールと第２上方レールとを有し、
前記下方レールは平行な第１下方レールと第２下方レールとを有し、
前記第１上方レールは前記第１下方レールの真上に配され、
前記第２上方レールは前記第２下方レールの真上に配され、
前記装飾パネルは、上辺において左右に離間した第１上方係止部と第２上方係止部とを備え、
前記第１上方係止部は前記第１上方レールに係止され、
前記第２上方係止部は前記第２上方レールに係止され、
前記装飾パネルは、下辺において左右に離間した第１下方係止部と第２下方係止部とを備え、
前記第１下方係止部は前記第１下方レールに係止され、
前記第２下方係止部は前記第２下方レールに係止されることを特徴とする。
【００１２】
この特徴によれば、複数の装飾パネルを設けて当該装飾パネル同士が重なり合うように移動させることで、上方レール及び下方レールの長さが窓用レールの長さより長くなくても、窓面を覆わないように装飾パネルを移動させることができる。
【００１３】
本考案のパネル型家具は、
前記装飾パネルが、窓面と平行に、窓面に近接して配されることを特徴とする。
【００１４】
この特徴によれば、パネル型家具を二重窓の室内側の窓又はカーテンのように遮光材として利用することができる。
【００１５】
本考案のパネル型家具は、
合成樹脂板の一面に遮光性又は透光性のシートを貼付した矩形形状の装飾パネルと、
前記装飾パネルの上辺を懸架する上方レールを備え、
前記装飾パネルは、前記上方レールに沿って移動可能であることを特徴とする。
【００１６】
この特徴によれば、パネル型家具をカーテンのように遮光材として利用することができる。
【００１７】
本考案のパネル型家具は、
前記シートは遮光性であり、
前記装飾パネルは、他面に遮光性のシートを貼付したものであることを特徴とする。
【００１８】
この特徴によれば、パネル型家具をカーテンのように遮光材として利用することができ、また、各シートの表面に模様を施して装飾性を高めることができる。。
【００１９】
本考案のパネル型家具は、
前記上方レールは平行な第１上方レールと第２上方レールとを有し、
前記装飾パネルは、上辺において左右に離間した第１上方係止部と第２上方係止部とを備え、
前記第１上方係止部は前記第１上方レールに係止され、
前記第２上方係止部は前記第２上方レールに係止されることを特徴とする。
【００２０】
この特徴によれば、複数の装飾パネルを設けて当該装飾パネル同士が重なり合うように移動させることで、上方レール及び下方レールの長さが窓用レールの長さより長くなくても、窓面を覆わないように装飾パネルを移動させることができる。
【００２１】
本考案のパネル型家具は、
前記装飾パネルが、窓面と平行に、窓面に近接して配されることを特徴とする。
【００２２】
この特徴によれば、パネル型家具をカーテンのように遮光材として利用することができる。また、パネル型家具が二重窓の室内側の窓として機能し、断熱効果を高め、窓面の結露を防ぐ。
【００２３】
本考案のパネル型家具は、
前記合成樹脂板はポリカーボネート板であることを特徴とする。
【００２４】
この特徴によれば、ポリカーボネート板は軽量であるため、吊り下げてカーテンのように遮光材として使用することができる。また、高い靭性を有しているため、耐久性がある。
【考案の効果】
【００２５】
本考案によれば、装飾パネルの上辺は上方レールで係止され、装飾パネルの下辺は下方レールで係止され、装飾パネルは上方レール及び下方レールに沿って移動可能であるため、パネル型家具を設置した後であっても装飾パネルを上方レール及び下方レールに沿って容易に動かすことができ、二重窓の室内側の窓として使用することができる。
【図面の簡単な説明】
【００２６】
【図１】図１は、パネル型家具を構成する装飾パネルの断面図である（実施例１）。
【図２】図２は、パネル型家具の構成を示す図である。（実施例１）
【図３】図３は、閉状態のパネル型家具の構成を示す図である。（実施例２）
【図４】図４は、開状態のパネル型家具の構成を示す図である。（実施例２）
【図５】図５は、開状態のパネル型家具を正面から見た図である。（実施例３）
【図６】図６は、閉状態のパネル型家具を正面から見た図である。（実施例４）
【考案を実施するための形態】
【００２７】
以下、本考案の実施例を図面を参照して説明する。
【実施例１】
【００２８】
図１は、本実施例に係るパネル型家具１を構成する装飾パネル１０の断面図である。装飾パネル１０は、ポリカーボネート板１１と、当該ポリカーボネート板１１の両面に貼り付けられた遮光性のシート１２と、を有する矩形形状のパネルである。ポリカーボネートは熱可塑性樹脂の一種であり、ポリカーボネート板１１はポリカーボネートを矩形の板状に成形したものである。ポリカーボネート板１１は軽量であるとともに高い靭性を有している。なお、厳密な矩形形状でなく、四隅に面取りがなされている等の微小な変形は可能である。
【００２９】
シート１２の表面には、例えばインクジェット印刷により装飾模様を描いてもよい。本実施例では遮光性のあるシート１２を用いているため、ポリカーボネート板１１の各面に貼り付けられたシート１２各々に装飾模様を描いても、模様が重なって見えることはない。
【００３０】
なお、各シート１２の表面に装飾模様を描かない場合や、カーテンのように遮光材として利用しない場合には、シート１２として透光性のあるものを用いてもよい。
【００３１】
また、シート１２はポリカーボネート板１１の両面ではなく、片面のみに貼り付けてもよい。この場合には、透光性があり装飾模様が付されたシート１２を用いたとしても、装飾模様が二重に見えることはない。
【００３２】
図２（Ａ）は、窓面４２に近接して配されたパネル型家具１の装飾パネル１０を窓面４２を被覆しないように移動させた状態（以下「開状態」という）を上方から見た模式図であり、図２（Ｂ）は、図２（Ａ）に示すパネル型家具１を正面から見た図である。
【００３３】
パネル型家具１は、２枚の装飾パネル１０と、当該装飾パネル１０の上辺を係止する上方レール２０と、当該装飾パネル１０の下辺を係止する下方レール３０と、を備えている。なお、係止手段としては、任意の公知技術を用いることができる。
【００３４】
上方レール２０及び下方レール３０は、装飾パネル１０全体の幅の２倍（つまり、１枚の装飾パネル１０の幅の４倍）の長さを有しており、窓４０の開閉時に窓４０を移動させる窓用レール５０の２倍の長さを有している。装飾パネル１０は、上方レール２０及び下方レール３０に沿って移動可能である。
【００３５】
このように、装飾パネル１０の上辺を上方レール２０で係止するとともに下辺を下方レール３０で係止し、装飾パネル１０を上方レール２０及び下方レール３０に沿って移動可能としたため、パネル型家具１を窓面４２に近接して設置した後であっても、装飾パネル１０を上方レール２０及び下方レール３０に沿って容易に動かすことができ、二重窓の室内側の窓として使用することができる。また、シート１２を遮光性とすることで、パネル型家具１をカーテンのように遮光材としても使用することができ、また、シート１２の表面に装飾模様を施して装飾性を高めることができる。
【００３６】
なお、パネル型家具１を間仕切りとして利用することも可能である。下方レール３０の下面に車輪を取り付けることで、室内を容易に移動させることができる。また、上方レール２０及び下方レール３０の端部を装飾パネル１０と同じ高さの部材で連結することで、装飾パネル１０を上方レール２０及び下方レール３０で安定して支持してパネル型家具１を移動させることができる。
【００３７】
なお、本実施例では装飾パネル１０の基材としてポリカーボネート板１１を用いたが、ポリカーボネート板１１に限定されることはなく、任意の合成樹脂板を用いることができる。また、設ける装飾パネル１０の枚数は２枚に限定されることはなく、１枚であっても３枚以上であってもよい。
【実施例２】
【００３８】
次に、実施例２について説明する。実施例１において説明したことはそのまま用いられる。実施例１との相違点を中心に説明し、共通の部分は詳細な説明を省略する。図３（Ａ）は、窓面４２に近接して配され、窓面４２を覆う状態（以下「閉状態」という）の本実施例に係るパネル型家具１Ａを上方から見た模式図である。図３（Ｂ）は、図３（Ａ）に示すパネル型家具１Ａを正面から見た図である。図４（Ａ）は、開状態のパネル型家具１Ａを上方から見た模式図である。図４（Ｂ）は、図４（Ａ）に示すパネル型家具１Ａを正面から見た図である。
【００３９】
本実施例のパネル型家具１Ａは、４枚の装飾パネル１０Ａと、上方レール２０Ａと、下方レール３０Ａと、を備えている。上方レール２０Ａ及び下方レール３０Ａは、窓用レール５０の長さと略同じ長さを有しており、また、全部の装飾パネル１０Ａ（本実施例では４枚）の幅を合計した長さよりも短い長さを有している。
【００４０】
図３に示すように、上方レール２０Ａは平行な第１上方レール２２と第２上方レール２４とで構成され、下方レール３０Ａは平行な第１下方レール３２と第２下方レール３４とで構成される。第１上方レール２２は第１下方レール３２の真上に配され、第２上方レール２４は第２下方レール３４の真上に配される。第１上方レール２２と第２上方レール２４との離間距離は、装飾パネル１０Ａの幅よりも短く構成されている。
【００４１】
装飾パネル１０Ａは、上辺において左右に離間した第１上方係止部１０１ａと第２上方係止部１０１ｂとを備えている。また、装飾パネル１０Ａは、下辺において左右に離間した第１下方係止部１０２ａと第２下方係止部１０２ｂとを備えている。
【００４２】
各装飾パネル１０Ａの面が同じ方向を向くように、各装飾パネル１０Ａの第１上方係止部１０１ａは第１上方レール２２に係止され、第２上方係止部１０１ｂは第２上方レール２４に係止される。また、各装飾パネル１０Ａの第１下方係止部１０２ａは第１下方レール３２に係止され、第２下方係止部１０２ｂは第２下方レール３４に係止される。なお、係止手段としては、任意の公知技術を用いることができる。
【００４３】
閉状態では、図３に示すように、各装飾パネル１０Ａを下方レール３０Ａ上（及び上方レール２０Ａ下）に均等間隔で配置することで、窓面４２を最大限覆うことができる。
【００４４】
開状態では、図４に示すように、各装飾パネル１０Ａが相互に重なり合うように上方レール２０Ａ及び下方レール３０Ａの端部に各装飾パネル１０Ａを移動させることで、装飾パネル１０Ａが窓面４２を覆う面積を小さくすることができる。
【００４５】
このように、上方レール２０Ａを平行な第１上方レール２２と第２上方レール２４とで構成し、下方レール３０Ａを平行な第１下方レール３２と第２下方レール３４とで構成し、各装飾パネル１０Ａの第１上方係止部１０１ａを第１上方レール２２で係止し、第２上方係止部１０１ｂを第２上方レール２４で係止し、各装飾パネル１０Ａの第１下方係止部１０２ａを第１下方レール３２で係止し、第２下方係止部１０２ｂを第２下方レール３４で係止することで、上方レール２０Ａ及び下方レール３０Ａの長さが窓用レール５０の長さより長くなくても、窓面４２を覆わないように装飾パネル１０Ａを移動させることができる。各装飾パネル１０Ａは窓４０の両脇に突出することがないため、窓４０の両脇にスペースがない部屋であってもパネル型家具１Ａを設置することができる。
【００４６】
なお、本実施例では、各装飾パネル１０Ａが向く方向が同じになるように、各装飾パネル１０Ａを上方レール２０Ａ及び下方レール３０Ａに係止したが、これに限定されることはなく、例えば、装飾パネル１０Ａの右側２枚の面が向く方向が同一となり、左側２枚の面が向く方向が同一となり、右側２枚と左側２枚との面が向く方向が左右対称となるように、各装飾パネル１０Ａを上方レール２０Ａ及び下方レール３０Ａに係止してもよい。この場合に開状態とするには、右側２枚の装飾パネル１０Ａを上方レール２０Ａ及び下方レール３０Ａの右側端部へ移動させ、左側２枚の装飾パネル１０Ａを上方レール２０Ａ及び下方レール３０Ａの左側端部へ移動させることとなる。
【実施例３】
【００４７】
次に、実施例３について説明する。実施例１において説明したことはそのまま用いられる。実施例１との相違を中心に説明し、共通の部分は詳細な説明を省略する。図５は、開状態の本実施例に係るパネル型家具１Ｂを正面から見た図である。
【００４８】
パネル型家具１Ｂは、ポリカーボネート板１１の両面にシート１２を貼付した矩形形状の装飾パネル１０Ｂと、装飾パネル１０Ｂの上辺を懸架する上方レール２０Ｂと、を備えている。
【００４９】
実施例３に係るパネル型家具１Ｂが実施例１に係るパネル型家具１と異なる点は、装飾パネル１０Ｂの下辺を係止する下方レールを有していない点である。ポリカーボネートはガラスよりも軽量であるため、既存のカーテンレールから懸架することが可能である。窓４０の手前の既存のカーテンレールを上方レール２０Ｂとして用いて、容易に装飾パネル１０Ｂを設置することができる。
【実施例４】
【００５０】
次に、実施例４について説明する。実施例２において説明したことはそのまま用いられる。実施例２との相違点を中心に説明し、共通の部分は詳細な説明を省略する。
【００５１】
図６は、閉状態の本実施例に係るパネル型家具１Ｃを正面から見た図である。パネル型家具１Ｃは、装飾パネル１０Ｃ及び上方レール２０Ｃを有する。上方レール２０Ｃは平行な第１上方レール２２Ｃと第２上方レール２４Ｃとを有する。
【００５２】
装飾パネル１０Ｃは、上辺において左右に離間した第１上方係止部１０３ａと第２上方係止部１０３ｂとを備える。第１上方係止部１０３ａは第１上方レール２２Ｃに係止され、第２上方係止部１０３ｂは第２上方レール２４Ｃに係止される。
【００５３】
実施例４に係るパネル型家具１Ｃが実施例２に係るパネル型家具１Ａと異なる点は、装飾パネル１０Ｃの下辺を係止する下方レールを有していない点である。ポリカーボネートはガラスよりも軽量であるため、既存のカーテンレールから懸架することが可能である。窓４０の手前の既存のカーテンレールを上方レール２０Ｃとして用いて、容易に装飾パネル１０Ｃを設置することができる。
【産業上の利用可能性】
【００５４】
本考案に係るパネル型家具は、断熱効果があり、窓面の結露を防ぎ、遮光性・防災性能があるため、二重窓の室内側の窓、カーテンのように遮光材として利用することができる。また、間仕切としても利用することができる。
【符号の説明】
【００５５】
１、１Ｂ、１Ｃ  パネル型家具
１０、１０Ａ、１０Ｂ、１０Ｃ  装飾パネル
１０１ａ  第１上方係止部
１０１ｂ  第２上方係止部
１０２ａ  第１下方係止部
１０２ｂ  第２下方係止部
１０３ａ  第１上方係止部
１０３ｂ  第２上方係止部
１１  ポリカーボネート板
１２  シート
２０、２０Ａ、２０Ｂ、２０Ｃ  上方レール
２２、２２Ｃ  第１上方レール
２４、２４Ｃ  第２上方レール
３０、３０Ａ  下方レール
３２  第１下方レール
３４  第２下方レール
４０  窓
４２  窓面
５０  窓用レール
【図１】
0003218891.tif 000003
【図２】
0003218891.tif 000004
【図３】
0003218891.tif 000005
【図４】
0003218891.tif 000006
【図５】
0003218891.tif 000007
【図６】
0003218891.tif 000008